(57)【特許請求の範囲】
【請求項１】
第１及び第２の利得ピークを有する光増幅器と、
前記光増幅器の前段または後段に配置され、前記第１の利得ピークと第２の利得ピークの間の波長領域で前記光増幅器の利得偏差を補償する利得等化器とを備え、
前記利得等化器は、前記第１及び前記第２の利得ピークの波長差の２倍を周期とし前記第１の利得ピークで透過特性が極大または極小となる第１の周期的光フィルタと、前記第１の周期的光フィルタの周期の１／２倍を周期とする第２の周期的光フィルタとを有することを特徴とする光伝送システム。
【請求項２】
実質的に同じ波長間隔の第１、第２及び第３の利得ピークを有し、前記第２の利得ピーク波長が前記第１の利得ピーク波長と前記第３の利得ピーク波長の間に存在する光増幅器と、
前記光増幅器の前段または後段に配置され、前記第１の利得ピークと第３の利得ピークの間の波長領域で前記光増幅器の利得偏差を補償する利得等化器とを備え、
前記利得等化器は、前記第１及び前記第３の利得ピークの波長差の２倍を周期とし前記第１の利得ピークで透過特性が極大または極小となる第１の周期的光フィルタと、前記第１の周期的光フィルタの周期の１／２倍を周期とする第２の周期的光フィルタと、前記第１の周期的光フィルタの周期の１／４倍を周期とする第３の周期的光フィルタとを有することを特徴とする光伝送システム。
【請求項３】
前記複数の周期的光フィルタは、縦列状に配置されていることを特徴とする請求項１または２記載の光伝送システム。
【請求項４】
第１及び第２の利得ピークを有する第１及び第２の光増幅器と、
入力光を分岐し前記第１及び第２の光増幅器に入力する分岐手段と、
前記第１及び前記第２の利得ピークの波長差の２倍を周期とし、前記第１の利得ピークで透過特性が極大となり、前記第１の光増幅器の後段に配置された第１の周期的光フィルタと、
前記第１の周期的光フィルタの周期の１／２倍を周期とし、前記第２の光増幅器の後段に配置された第２の周期的光フィルタと、
前記第１及び第２の周期的光フィルタの出力を結合する結合手段を備え、
前記第１及び第２の周期的光フィルタの透過特性は、前記第１の利得ピークと第２の利得ピークの間の波長領域で前記結合手段の出力光の利得偏差を補償する特性であることを特徴とする光伝送システム。
【請求項５】
実質的に同じ波長間隔の第１、第２及び第３の利得ピークを有し、前記第２の利得ピーク波長が前記第１の利得ピーク波長と前記第３の利得ピーク波長の間に存在する第１乃至第３の光増幅器と、
入力光を分岐し前記第１乃至第３の光増幅器に入力する分岐手段と、
前記第１及び前記第３の利得ピークの波長差の２倍を周期とし、前記第１の利得ピークで透過特性が極大となり、前記第１の光増幅器の後段に配置された第１の周期的光フィルタと、
前記第１の周期的光フィルタの周期の１／２倍を周期とし、前記第２の光増幅器の後段に配置された第２の周期的光フィルタと、
前記第１の周期的光フィルタの周期の１／４倍を周期とし、前記第３の光増幅器の後段に配置された第３の周期的光フィルタと、
前記第１乃至第３の周期的光フィルタの出力を結合する結合手段を備え、
前記第１乃至第３の周期的光フィルタの透過特性は、前記第１の利得ピークと第３の利得ピークの間の波長領域で前記結合手段の出力光の利得偏差を補償する特性であることを特徴とする光伝送システム。
【請求項６】
請求項４または５記載の光伝送システムであって、
前記各周期的光フィルタと前記結合手段との間に、各周期的光フィルタの位相を調整する位相補償器を備えたことを特徴とする光伝送システム。
【請求項７】
第１及び第２の利得ピークを有し縦続接続された複数の光増幅器と、
前記第１及び前記第２の利得ピークの波長差の２倍を周期とし、前記第１の利得ピークで透過特性が極大となる第１の周期的光フィルタと、
前記第１の周期的光フィルタの周期の１／２倍を周期とする第２の周期的光フィルタとを備え、
前記第１及び第２の周期的光フィルタは、前記第１の利得ピークと第２の利得ピークの間の波長領域で受信側の端局における利得偏差を補償する透過特性を有することを特徴とする光伝送システム。
【請求項８】
実質的に同じ波長間隔の第１、第２及び第３の利得ピークを有し、前記第２の利得ピーク波長が前記第１の利得ピーク波長と前記第３の利得ピーク波長の間に存在する縦続接続された複数の光増幅器と、
前記第１及び前記第３の利得ピークの波長差の２倍を周期とし、前記第１の利得ピークで透過特性が極大となる第１の周期的光フィルタと、
前記第１の周期的光フィルタの周期の１／２倍を周期とする第２の周期的光フィルタと、
前記第１の周期的光フィルタの周期の１／４倍を周期とする第３の周期的光フィルタとを備え、
前記第１乃至第３の周期的光フィルタは、前記第１の利得ピークと第３の利得ピークの間の波長領域で受信側の端局における利得偏差を補償する透過特性を有することを特徴とする光伝送システム。
【請求項９】
前記周期的光フィルタは、伝送路に複数分散して配置され、伝送される波長多重光信号の各チャネルの光信号対雑音比が略等しくなる透過特性であることを特徴とする請求項７または８記載の光伝送システム。
【請求項１０】
前記周期的光フィルタは、前記光伝送システムの端局からのコマンドを受信するコマンド受信部を備え、前記受信されたコマンドに基づいて前記周期的光フィルタの透過特性の周期、位相及び阻止量が調整されることを特徴とする請求項７または８記載の光伝送システム。
【発明の詳細な説明】
【０００１】
【発明の属する技術分野】
本発明は、光伝送システムに関し、特に、光通信システム等に用いられる光増幅中継器の利得特性を等化して伝送する光伝送システムに関するものである。
【０００２】
【従来の技術】
従来、基幹系伝送システムでは、通信量を増大するために、ビットレートを増加してきた。さらに、伝送距離を増大するために、中継器の数を増加してきた。しかしながら、１０Ｇｂｉｔ／ｓ以上の容量が必要なシステムでは、高速の電子回路が必要であるが、そのような回路のコストは高く、信頼性も低い。
【０００３】
特に、海底超長距離光増幅中継伝送システムでは、数１０段中継する必要があり、且つ非常に高い信頼性を要求される。このような場合には、ビットレートを増加するよりも、複数の異なる波長の光信号を多重化して伝送する方法が採用されている。この方法では、中継器における光増幅器において、波長多重光信号が一括増幅されて伝送される。
【０００４】
波長多重光信号を数１０台以上中継して伝送すると、中継器における光増幅器の波長帯域に対する非平坦な利得特性（ゲインチルト）によって、各波長の光信号の光ＳＮＲに偏差が生じる。光ＳＮＲの偏差が生じると、多段中継の間に、低ＳＮＲの光信号がさらに劣化する。従って、利得平坦な（等しいＳＮＲの）信号帯域を常に確保する必要がある。
【０００５】
上述の中継器における光増幅器として、一般的に光信号を光のまま増幅する光ファイバ増幅器が使用されている。さらに、光ファイバ増幅器としては、Ｅｒ（エルビウム）添加光ファイバ増幅器（Ｅｒｂｉｕｍ−ｄｏｐｅｄ  ｏｐｔｉｃａｌ  ｆｉｂｅｒ  ａｍｐｌｉｆｉｅｒ：ＥＤＦＡ）が広く使用されている。このＥＤＦＡは、外部から励起（ポンピング）光を供給することによって、入力光を増幅する機能を有している。光信号を光のまま増幅する光増幅器は、高速の電子回路が不要であり、高利得、高出力、信号速度の依存性が低いという優れた特性を有している。
【０００６】
ＥＤＦＡの利得特性は、一般的に光ファイバ母材の組成に基づく利得波長特性を有し、長距離光伝送で用いられる１．５〜１．６μｍの波長帯域で完全に平坦な利得波長特性ではない。この波長帯域においては、中継器の数が増加すると、波長依存性が増大し、各波長間でＳＮＲの偏差が増加する。
【０００７】
図１６に、従来のＥＤＦＡを用いた中継器を複数中継した場合の、光スペクトル波形を示す。（Ａ）は、中継器を１０段中継した場合、（Ｂ）は、中継器を６０段中継した場合である。ただし、Ａｌ低濃度（１Ｗｔ％以下）ＥＤＦが使用され、４波長の光信号が多重化された場合を示している。
【０００８】
図１６の（Ａ）で見られるように、１０段の中継の場合、光ＳＮＲの偏差は小さく問題は小さいが、６０段の中継の場合は、さらに、その偏差は増加し、ＳＮＲが十分な信号と不十分な信号が存在し問題である。従って、１０中継以上の多段接続を行なう場合は、各光信号の利得偏差を補償する必要があることがわかる。
【０００９】
利得偏差を補償する方法として、従来、幾つかの方法が提案されている。例えば、（１）Ａｌ低濃度（１％Ｗｔ以下）の従来型ＥＤＦとファブリペローエタロン光フィルタを用いて信号帯域を確保した報告（池田他、“エタロンフィルタによる光増幅器の利得平坦化”，１９９５年秋季電子情報通信学会通信ソサイエティ大会，Ｂ−７５９）、（２）Ａｌ低濃度ＥＤＦとファイバグレーティングフィルタを用い利得を平坦化して２０波６３００ｋｍ伝送を実現した報告（Ｎ．Ｓ．Ｂｅｒｇａｎｏ  ｅｔ  ａｌ．，“１００Ｇｂ／ｓ  ＷＤＭ  Ｔｒａｎｓｍｉｓｓｉｏｎ  ｏｆ  Ｔｗｅｎｔｙ  ５Ｇｂ／ｓ  ＮＲＺ  Ｄａｔａ  Ｃｈａｎｎｅｌｓ  Ｏｖｅｒ  Ｔｒａｎｓｏｃｅａｎｉｃ  Ｄｉｓｔａｎｃｅｓ  Ｕｓｉｎｇ  ａ  Ｇａｉｎ  Ｆｌａｔｔｅｎｅｄ  Ａｍｐｌｉｆｉｅｒ  Ｃｈａｉｎ”，Ｔｈ．Ａ．３．１，ＥＣＯＣ‘９５）、（３）Ｍａｃｈ−Ｚｅｈｎｄｅｒ型利得等化器とＡｌ低濃度光増幅器を用いて利得等化した報告（Ｋａｚｕｈｉｒｏ  Ｏｄａ  ｅｔ  ａｌ．，“１６−Ｃｈａｎｎｅｌ×１０−Ｇｂｉｔ／ｓ  Ｏｐｔｉｃａｌ  ＦＤＭ  Ｔｒａｎｓｍｉｓｓｉｏｎ  Ｏｖｅｒ  ａ  １０００ｋｍ  Ｃｏｎｖｅｎｔｉｏｎａｌ  Ｓｉｎｇｌｅ−Ｍｏｄｅ  ＦｉｂｅｒＥｍｐｌｏｙｉｎｇ  Ｄｉｓｐｅｒｓｉｏｎ−Ｃｏｍｐｅｎｓａｔｉｎｇ  Ｆｉｂｅｒ  ａｎｄ  Ｇａｉｎ  Ｅｑｕａｌｉｚａｔｉｏｎ  ”、信号帯域は１５５０〜１５６０ｎｍの１０ｎｍ、利得等化器の負の傾斜の部分に信号を配置している）である。
【００１０】
【発明が解決しようとする課題】
しかしながら、上述した従来の増幅特性の補償方法には次のような問題点がある。
上述の従来例では、基本的にＥＤＦＡの増幅特性の１つの利得のピーク、或は正または負の利得傾斜の比較的狭い帯域において、増幅特性が補償されている。即ち、それらの帯域に対して、ＥＤＦＡの増幅特性と逆特性の透過特性をもつ光部品を用いることによって増幅特性が平坦化され、波長多重光信号がその帯域において伝送される。この場合、増幅特性の利得のピーク部分及び利得傾斜の部分の帯域は限られており、上記の方法では、それらの帯域以上に信号帯域を拡大することは難しかった。
【００１１】
また、数１０段中継伝送しても１．５３μｍ帯〜１．５６μｍ帯の数１０ｎｍに渡って完全に平坦な利得増幅特性をもつＥＤＦＡを開発することも難しい。
本発明の目的は、上記の問題点を鑑みて、光増幅器を用いた光伝送システムにおいて、光増幅器の波長に対する利得特性を広い波長帯域にわたり等化できる光伝送システムを提供する。
【００１２】
【課題を解決するための手段】
上記課題を解決するために本発明では、下記の手段を講じたことを特徴とするものである。
請求項１記載の発明装置では、
第１及び第２の利得ピークを有する光増幅器と、
前記光増幅器の前段または後段に配置され、前記第１の利得ピークと第２の利得ピークの間の波長領域で前記光増幅器の利得偏差を補償する利得等化器とを備え、
前記利得等化器は、前記第１及び前記第２の利得ピークの波長差の２倍を周期とし前記第１の利得ピークで透過特性が極大または極小となる第１の周期的光フィルタと、前記第１の周期的光フィルタの周期の１／２倍を周期とする第２の周期的光フィルタとを有することを特徴とする。
【００１３】
請求項２記載の発明装置では、
実質的に同じ波長間隔の第１、第２及び第３の利得ピークを有し、前記第２の利得ピーク波長が前記第１の利得ピーク波長と前記第３の利得ピーク波長の間に存在する光増幅器と、
前記光増幅器の前段または後段に配置され、前記第１の利得ピークと第３の利得ピークの間の波長領域で前記光増幅器の利得偏差を補償する利得等化器とを備え、
前記利得等化器は、前記第１及び前記第３の利得ピークの波長差の２倍を周期とし前記第１の利得ピークで透過特性が極大または極小となる第１の周期的光フィルタと、前記第１の周期的光フィルタの周期の１／２倍を周期とする第２の周期的光フィルタと、前記第１の周期的光フィルタの周期の１／４倍を周期とする第３の周期的光フィルタとを有することを特徴とする。
【００１４】
請求項３記載の発明装置では、
前記複数の周期的光フィルタは、縦列状に配置されていることを特徴とする。
【００１５】
請求項４記載の発明装置では、
第１及び第２の利得ピークを有する第１及び第２の光増幅器と、
入力光を分岐し前記第１及び第２の光増幅器に入力する分岐手段と、
前記第１及び前記第２の利得ピークの波長差の２倍を周期とし、前記第１の利得ピークで透過特性が極大となり、前記第１の光増幅器の後段に配置された第１の周期的光フィルタと、
前記第１の周期的光フィルタの周期の１／２倍を周期とし、前記第２の光増幅器の後段に配置された第２の周期的光フィルタと、
前記第１及び第２の周期的光フィルタの出力を結合する結合手段を備え、
前記第１及び第２の周期的光フィルタの透過特性は、前記第１の利得ピークと第２の利得ピークの間の波長領域で前記結合手段の出力光の利得偏差を補償する特性であることを特徴とする。
【００１６】
請求項５記載の発明装置では、
実質的に同じ波長間隔の第１、第２及び第３の利得ピークを有し、前記第２の利得ピーク波長が前記第１の利得ピーク波長と前記第３の利得ピーク波長の間に存在する第１乃至第３の光増幅器と、
入力光を分岐し前記第１乃至第３の光増幅器に入力する分岐手段と、
前記第１及び前記第３の利得ピークの波長差の２倍を周期とし、前記第１の利得ピークで透過特性が極大となり、前記第１の光増幅器の後段に配置された第１の周期的光フィルタと、
前記第１の周期的光フィルタの周期の１／２倍を周期とし、前記第２の光増幅器の後段に配置された第２の周期的光フィルタと、
前記第１の周期的光フィルタの周期の１／４倍を周期とし、前記第３の光増幅器の後段に配置された第３の周期的光フィルタと、
前記第１乃至第３の周期的光フィルタの出力を結合する結合手段を備え、
前記第１乃至第３の周期的光フィルタの透過特性は、前記第１の利得ピークと第３の利得ピークの間の波長領域で前記結合手段の出力光の利得偏差を補償する特性であるいることを特徴とする。
【００１７】
請求項６記載の発明装置では、
請求項４または５記載の光伝送システムであって、
前記各周期的光フィルタと前記結合手段との間に、各周期的光フィルタの位相を調整する位相補償器を備えたことを特徴とする。
請求項７記載の発明装置では、
第１及び第２の利得ピークを有し縦続接続された複数の光増幅器と、
前記第１及び前記第２の利得ピークの波長差の２倍を周期とし、前記第１の利得ピークで透過特性が極大となる第１の周期的光フィルタと、
前記第１の周期的光フィルタの周期の１／２倍を周期とする第２の周期的光フィルタとを備え、
前記第１及び第２の周期的光フィルタは、前記第１の利得ピークと第２の利得ピークの間の波長領域で受信側の端局における利得偏差を補償する透過特性を有することを特徴とする。
【００１８】
請求項８記載の発明装置では、
実質的に同じ波長間隔の第１、第２及び第３の利得ピークを有し、前記第２の利得ピーク波長が前記第１の利得ピーク波長と前記第３の利得ピーク波長の間に存在する縦続接続された複数の光増幅器と、
前記第１及び前記第３の利得ピークの波長差の２倍を周期とし、前記第１の利得ピークで透過特性が極大となる第１の周期的光フィルタと、
前記第１の周期的光フィルタの周期の１／２倍を周期とする第２の周期的光フィルタと、
前記第１の周期的光フィルタの周期の１／４倍を周期とする第３の周期的光フィルタとを備え、
前記第１乃至第３の周期的光フィルタは、前記第１の利得ピークと第３の利得ピークの間の波長領域で受信側の端局における利得偏差を補償する透過特性を有することを特徴とする。
【００１９】
請求項９記載の発明装置では、
前記周期的光フィルタは、伝送路に複数分散して配置され、伝送される波長多重光信号の各チャネルの光信号対雑音比が略等しくなる透過特性であることを特徴とする。
【００２０】
請求項１０記載の発明装置では、
前記周期的光フィルタは、前記光伝送システムの端局からのコマンドを受信するコマンド受信部を備え、前記受信されたコマンドに基づいて前記周期的光フィルタの透過特性の周期、位相及び阻止量が調整されることを特徴とする。
【００２６】
上述した発明装置は、以下のように作用する。
本発明による光伝送システムにおいては、基本となる周期的光フィルタの透過特性は、光増幅器の利得ピーク間の波長差に基づいて定まる波長を基本周期として持ち、その他の複数の周期的光フィルタは、その基本周期の１／２ｎ（ｎは自然数）の長さの周期を有する。それらの複数の周期的光フィルタの透過特性を合成することによって、光増幅器の利得特性と逆の特性を形成することができる。従って、この利得等化器によって、光増幅器の利得特性を等化でき、これにより、広帯域な信号伝送帯域を実現することができる。
【００２７】
特に、周期的光フィルタが図３に示されるようなファブリペローエタロンフィルタで構成された本発明の一態様では、所望の波長周期の透過特性が実現可能である。また、周期的光フィルタが縦列状に配置された本発明の一態様では、簡易な構成によって、複数の利得ピークを有する光増幅器の利得特性を、広帯域に等化することができる。
【００２８】
複数の利得等化器が、伝送路に複数の中継器を通過した後に分散して縦列状に配置された本発明の一態様では、１つの利得等化器が複数の光増幅器による利得偏差を等化する。波長多重光信号が複数の波長多重光信号に分波され、それぞれが周期的光フィルタを通過した後再び結合される本発明の一態様では、複数の周期的光フィルタを並列に接続することによっても、複数の周期的光フィルタの透過特性を合成することができる。従って、このように構成された利得等化器においても、複数の利得ピークを有する光増幅器の利得特性を、広帯域に等化することができる。
【００２９】
光増幅器の利得特性の利得ピークのうち少なくとも１つが遮断光フィルタによって遮断される本発明の一態様では、特定の帯域のＡＳＥ（自然的に発生する雑音レベル）光が大きくなるシステムに対し有効であり、光ＳＮＲの劣化を抑圧できる。
【００３０】
端局からのコマンドに基づいて周期的光フィルタの透過特性の周期、位相及び阻止量が調整される本発明の一態様では、経年変化によって光増幅器の利得特性が変化した場合や、光増幅器が故障した場合等に、利得等化器の透過特性を適切に調節できる。
【００３１】
また、本発明の一態様によれば、出力における波長多重光信号の各チャネルの光信号対雑音比が実質的に等しくなるように調整できる。
【００３２】
【発明の実施の形態】
最初に、本発明に係わる利得等化器の原理について図１及び図２を用いて説明する。図１は、本発明に係わる原理に基づく利得等化器の構成例である。図２は、本発明に係わる利得等化器の原理を説明するための図である。
【００３３】
図１では、入力された波長多重光信号は、Ａｌ高濃度ＥＤＦＡ１０で増幅され、利得等化器である光フィルタ２０を介して出力される。Ａｌ高濃度ＥＤＦＡ１０内の光信号は、励起ＬＤ１２から供給されるエネルギーによって増幅される。出力端子に供給される光信号は、光検出器１４でモニタされ、そのモニタ値を基に励起ＬＤ制御コントローラ１６は、光信号の出力パワーを一定にするように励起ＬＤ１２の出力エネルギーを調整する。
【００３４】
Ａｌ高濃度ＥＤＦＡ１０の波長に対する増幅特性は、図２の最上段の図に示されている。後で詳細に述べるが、Ａｌ高濃度ＥＤＦＡの場合、増幅特性に３つのピークが存在する。また、これらのピークのレベルは異なり、波長間隔は実質的に同じである。
【００３５】
また、光フィルタ２０は、直列に接続された複数の光フィルタ２０−１、２０−２、２０−３を有しており、Ａｌ高濃度ＥＤＦＡ１０の増幅特性を広帯域に亘り等化する。光フィルタ２０−１、２０−２、２０−３の各々は、ファブリペローエタロンフィルタ（Ｆａｂｒｙ−Ｐｅｒｏｔ  ｅｔａｌｏｎ  ｆｉｌｔｅｒ）で構成されている。
【００３６】
図３に、ファブリペローエタロンフィルタの基本構造を示す。ファブリペローエタロンフィルタは、スペーサー層が高反射多層膜によって挟まれるようにして構成されている。この２つの高反射多層膜は、共振条件が入射光の入射角θ及びスペーサー層の厚さＬで決定される共振器を構成する。入射光の波長が共振器の共振条件を満足するとき、入射光の透過率は最大となる。このフィルタでは、入射角θ及びスペーサ層の厚さＬが決定されると、周期的な波長において透過率が最大となる。従って、スペーサ層の厚さＬ等を調節してフィルタを形成することによって、フィルタの透過特性を所定の波長の間隔で周期的に変化させることができる。
【００３７】
図２の最上段に示すＡｌ高濃度ＥＤＦＡの増幅特性は、注目する帯域において周期性を有する。従って、フーリエ変換の原理によって、周期関数に実質的に分解することができる。よって、複数の周期関数を合成することによって、Ａｌ高濃度ＥＤＦＡの増幅特性と逆の特性を形成することができる。
【００３８】
フィルタ２０−１は、透過特性が基本波長の周期で変化するように構成されている。基本波長は、Ａｌ高濃度ＥＤＦＡの増幅特性のピーク間（この場合は、ピーク１とピーク２）の波長差に基づいて決定される。フィルタ２０−２は、透過特性が基本波長の１／２の周期で変化するように構成されている。さらに、フィルタ２０−３は、透過特性が基本波長の１／４の周期で変化するように構成されている。これらの透過特性は、図２の中段に示されている。周期波形の振幅が、フィルタの阻止量に相当する。
【００３９】
フィルタ２０−１、２０−２、２０−３を直列に接続することによって、図２に示すように、Ａｌ高濃度ＥＤＦＡの増幅特性と実質的に逆の特性が合成波形として形成される。そして、図２の最下段に示すように、この合成波形によって、Ａｌ高濃度ＥＤＦＡの増幅特性は３つのピークを有する広帯域において等化できる。
【００４０】
以上に示したように、周期的なピークを有する増幅特性は、周期、位相、振幅（阻止量）の異なる透過特性をもつ複数の光フィルタを適切に合成することによって広帯域に等化することができる。
なお、図１では、本発明に係わる利得等化器２０は、ＥＤＦＡ１０の後段に設けられている。しかし、本発明に係わる利得等化器は、ＥＤＦＡの前段に挿入することも可能である。
【００４１】
図４に、Ａｌ濃度とＥＤＦＡの増幅特性との関係を示す。Ａｌ濃度が１Ｗｔ％以下の低濃度状態から徐々に高くしていくと、ピーク２で示される１５５５μｍ帯の利得帯域が短波長側に広がる。Ａｌ濃度が約４Ｗｔ％以上の高濃度状態になると１．５４５μｍ帯の利得帯域が隆起し、ピーク３が発生する。
【００４２】
図５に、Ａｌ低濃度（１Ｗｔ％以下）ＥＤＦＡの増幅特性（波長に対する利得特性）を、図６に、Ａｌ高濃度（１Ｗｔ％以上）ＥＤＦＡの増幅特性（波長に対する利得特性）を示す。図６に示すＡｌ高濃度ＥＤＦＡの利得特性は、図５に示すＡｌ低濃度ＥＤＦＡの利得特性に比べて、１．５４μｍ帯域の利得の極小値が小さく、利得特性が比較的平坦である。しかし、Ａｌ高濃度ＥＤＦＡの利得特性は、１．５４μｍ帯と１．５５５μｍ帯との間に第３の利得ピーク有している。従って、Ａｌ高濃度ＥＤＦＡは広帯域な伝送特性を実現できる可能性は有しているが、この光増幅器を多段中継した場合には信号帯域にリプルが発生する。図７は、２０段のＡｌ高濃度ＥＤＦＡの波長多重光信号の伝送特性（計算値）を示す。この図に示される利得偏差は、本発明に係わる利得等化器によって抑圧可能である。
【００４３】
以下に、図５に示すＡｌ低濃度ＥＤＦＡの利得特性、及び図６に示すＡｌ高濃度ＥＤＦＡの利得特性の利得等化動作について詳細に説明する。
Ａｌ低濃度ＥＤＦＡの利得特性は、図５に示すように２つのピークを有している。この場合、本発明に係わる利得等化器は、基本周期及び基本周期／２の周期関数を有する２つのファブリペローエタロンフィルタで構成することができる。
【００４４】
図８に、波長周期が３２ｎｍと１６ｎｍのファブリペローエタロンフィルタを直列に接続した場合の利得等化器（ＧＥＱ）の透過特性（一点鎖線で示す）及び等化結果（Ｔｏｔａｌ  ｇａｉｎ）を示す。また、図８には、動作を理解し易くするため、図５に示すＡｌ低濃度ＥＤＦＡのみの利得特性（ＥＤＦＡ  ｇａｉｎ）が併せて表示されている。この図において１５３３〜１５６０ｎｍの帯域における透過特性は、Ａｌ低濃度ＥＤＦＡの利得特性の実質的に逆の特性に近似でき、利得等化器として利用できる。この時のファブリペローエタロンフィルタの透過率Ｔ（λ）の近似式は以下のように示される。
【００４５】
【数１】
0003556379.tif 000002
【００４６】
λ０  ＝１５３３，
Ｒ１  ＝０．１，  Ｆ１  ＝３２，  φ１  ＝０．０
Ｒ２  ＝０．１，  Ｆ２  ＝１６，  φ２  ＝０．４
このように、Ａｌ低濃度ＥＤＦＡの増幅特性ＥＤＦＡ  ｇａｉｎは、利得等化器の透過特性によって等化される。この等化結果Ｔｏｔａｌ  ｇａｉｎから、２種類（基本周期、基本周期／２）の周期的光フィルタを組み合わせることにより、Ａｌ低濃度ＥＤＦＡの利得特性を約１５ｎｍの広い帯域において平坦化できる。
【００４７】
Ａｌ高濃度ＥＤＦＡの利得特性は、図６に示すように３つのピークを有している。この場合、本発明に係わる利得等化器は、基本周期、基本周期／２、基本周期／４の周期関数を有する３つのファブリペローエタロンフィルタで構成することができる。
【００４８】
図９に、波長周期が５６ｎｍ、２８ｎｍ、及び１４ｎｍのファブリペローエタロンフィルタを直列に接続した場合の透過特性（一点鎖線で示す）及び等化結果（Ｔｏｔａｌ  ｇａｉｎ）を示す。また、図９には、動作を理解し易くするため、図６に示すＡｌ高濃度ＥＤＦＡの利得特性（ＥＤＦＡ  ｇａｉｎ）が併せて表示されている。この図において１５３３〜１５６０ｎｍの帯域における透過特性は、Ａｌ高濃度ＥＤＦＡの利得特性の実質的に逆の特性に近似でき、利得等化器として利用できる。この時のファブリペローエタロンフィルタの透過率Ｔ（λ）の近似式は以下のように示される。
【００４９】
【数２】
0003556379.tif 000003
【００５０】
λ０  ＝１５３２，
Ｒ１  ＝０．０４０，  Ｆ１  ＝５６，  φ１  ＝０．０
Ｒ２  ＝０．０２５，  Ｆ２  ＝２８，  φ２  ＝０．６
Ｒ３  ＝０．０４５，  Ｆ３  ＝１４，  φ３  ＝０．０
このように、Ａｌ高濃度ＥＤＦＡの増幅特性ＥＤＦＡ  ｇａｉｎは、利得等化器（ＧＥＱ）の透過特性によって等化される。この等化結果Ｔｏｔａｌ  ｇａｉｎから、３種類（基本周期、基本周期／２、基本周期／４）の周期的光フィルタを組み合わせることにより、Ａｌ高濃度ＥＤＦＡの利得特性を約３０ｎｍの広い帯域において平坦化できる。従来の利得等化器では、ＥＤＦＡの利得特性の１つのピークに対して動作し、平坦化された帯域は１０ｎｍ程度である。従って、本発明に係わる利得等化器は、従来の利得等化器に比べてより広い平坦化された利得帯域を有することができる。
【００５１】
図１０は、Ａｌ高濃度ＥＤＦＡの増幅特性を等化するための本発明に係わる利得等化器の第１の構成例を示す図である。この第１の構成例は、図１に示す構成例と実質的に同じである。同じ機能を有する要素には同じ参照番号を付している。図１０において、実線は、光フィルタ２０がＥＤＦＡ１０の前段に設けられた場合、点線は、光フィルタ２０がＥＤＦＡ１０の後段に設けられた場合を示す。光フィルタ２０は、図１に示す構成例と同様に、直列に接続された周期的光フィルタ２０−１、２０−２、２０−３から構成される。
【００５２】
このように、周期、位相、振幅（阻止量）の異なる複数の光フィルタを縦列に接続することによって、複数のピークを有するＥＤＦＡの増幅特性を、広帯域に平坦化することができる。
図１１は、Ａｌ高濃度ＥＤＦＡの増幅特性を等化するための本発明に係わる利得等化器の第２の構成例を示す図である。本構成例では、入力された光信号が３つの光信号に分割され、それぞれ実質的に同じ利得特性を有するＡｌ高濃度ＥＤＦＡ１０−１、１０−２、１０−３で増幅される。さらに、増幅された光信号は、それぞれ周期的光フィルタ２０−１、２０−２、２０−３で濾波されて、出力側において合成される。この場合、適切な合成を行うため、合成される光信号の位相が位相補償器３０−１、３０−２、３０−３で調整される。光信号の合成は、光カプラを用いて容易に行なえる。
【００５３】
このように、周期、位相、振幅（阻止量）の異なる複数の光フィルタを並列に接続することによっても、複数の光フィルタの透過特性を合成することができる。従って、このように構成された利得等化器においても、複数のピークを有するＥＤＦＡの増幅特性を、広帯域に平坦化することができる。
【００５４】
なお、図１０及び図１１に示す光フィルタ２０−１、２０−２、２０−３は、励起ＬＤ制御コントローラ１０によって制御可能であり、その周期、位相、振幅（阻止量）等のパラメータを調節できる。これらの調整は、図３のファブリペローエタロンフィルタの構造において、入射角を調整したり、スペーサ層の厚さＬを機械的に調整することによって行うことができる。また、予めスペーサ層をその厚さが場所によって変化するように構成し、入射位置をスライドさせることによっても上記の調整を行うことができる。経年変化によってＥＤＦＡの利得特性が変化した場合や、ＥＤＦＡが故障した場合等に、それらのパラメータは調節される。
【００５５】
図１２は、Ａｌ高濃度ＥＤＦＡの増幅特性を等化するための本発明に係わる利得等化器の第３の構成例を示す図である。ＥＤＦＡの励起状態を示す指標として、励起状態にあるエルビウム・イオン濃度と全エルビウム・イオン濃度との比であるインバージョンパラメータが知られている。また、ＥＦＤＡでは、光信号が入力されない場合でも、自然的に光が放出され、これは一般的にＡＳＥ（ａｍｐｌｉｆｉｅｄ  ｓｐｏｎｔａｎｅｏｕｓ  ｅｍｉｓｓｉｏｎ）と呼ばれる。
【００５６】
ここでは、インバージョンパラメータが０．６以下の場合を飽和状態、０．６以上の場合を非飽和状態と呼ぶことにする。今、ＥＤＦ自体が有する増幅特性の性能を議論すると、Ａｌ低濃度ＥＤＦＡは飽和状態でも非飽和状態においても、信号帯域の定量的な指標であるＡＳＥ３ｄＢ帯域幅はそれほど変わらず、約１０ｎｍ程度である。一方、Ａｌ高濃度ＥＤＦＡは、飽和状態に比べ非飽和動作の方が明らかにＡＳＥ３ｄＢ帯域が広くなる。
【００５７】
従って、利得偏差が少ない数１０ｎｍの広い増幅帯域が必要な場合には、非飽和領域で動作させられたＡｌ高濃度ＥＤＦＡを使用するのが効果的である。しかしながら、非飽和領域動作のＡｌ高濃度ＥＤＦＡが多段接続されると、１．５３μｍ帯ＡＳＥが大きく成長し、大きなゲインチルトが発生する。従って、非飽和領域で動作するＡｌ高濃度ＥＤＦＡを使用する場合には、１．５３μｍ帯のＡＳＥを除去する必要がある。
【００５８】
非飽和動作では、ＥＤＦＡは１．５３μｍ帯の光パワーを最も強く増幅させようとするが、この帯域の光パワーがもともと小さければ光ＳＮＲの劣化は小さくなる。
図１２に示す第３の構成例では、１．５３μｍ帯域阻止フィルタ４０が、光フィルタ２０及び出力との間に設置されている。この１．５３μｍ帯遮断フィルタは、利得等化のためだけでなく、むしろ次段の光増幅器での光ＳＮＲの劣化を抑圧する効果の方が大きい。
【００５９】
図１３〜図１５に、本発明に係わる利得等化器が配置された光伝送システムの構成例を示す。
図１３に示す光伝送システムの構成例では、縦続接続されているｎ個の光増幅器５０−１〜５０−ｎの間に、異なる波長周期の透過特性を有する光フィルタ２０−１、２０−２、２０−３が、適当な中継間隔をおいて配置されている。本光伝送システムは、複数の光増幅器を中継した後の波長多重光信号の等化を異なる周期の光フィルタで一括して行うことができる。
【００６０】
図１４に示す光伝送システムの構成例では、縦続接続されているｎ個の光増幅器５０−１〜５０−ｎの間に、周期の異なる光フィルタが直接縦列接続された光フィルタ２０−１、２０−２、２０−３で構成される利得等化器２０♯１〜２０♯３が、適当な中継間隔をおいて配置されている。本光伝送システムは、全伝送システムの途中で各チャネルの光ＳＮＲを等化する必要がある場合（例えば、途中でＢＵ（Ｂｒａｎｃｈｉｎｇ  Ｕｎｉｔ）が置かれて伝送路が分岐、挿入される場合等）に有用である。
【００６１】
図１５に示す光伝送システムの構成例では、縦続接続されているｎ個の光増幅器５０−１〜５０−ｎの間に、それぞれが図１１に示すように並列接続された光フィルタ２０−１、２０−２、２０−３で構成される利得等化器６０♯１〜６０♯３が、適当な中継間隔をおいて配置されている。本光伝送システムは、複数の光増幅器を中継した後の波長多重光信号の等化を異なる周期の光フィルタで一括して行うことができる。
【００６２】
なお、図１３、図１４、図１５の各利得等化器の周期、位相、振幅（阻止量）は、端局からのコマンドによってシステム全体の光ＳＮＲが均等になるように調整される。これらの調整は、図３のファブリペローエタロンフィルタの構造において、入射角を調整したり、スペーサ層の厚さＬを機械的に調整することによって行うことができる。また、予めスペーサ層をその厚さが場所によって変化するように構成し、入射位置をスライドさせることによっても上記の調整を行うことができる。
【００６３】
以上、本発明の実施例により説明したが、本発明はこれらの実施例に限定されるものではなく、本発明の範囲内で改良及び変形が可能であることは言うまでもない。
【００６４】
【発明の効果】
上述したように、本発明によれば以下に示す効果を有する。本発明による光伝送システムにおいては、基本となる周期的光フィルタの透過特性は、光増幅器の利得ピーク間の波長差に基づいて定まる波長を基本周期として持ち、その他の複数の周期的光フィルタは、その基本周期の１／２ｎ（ｎは自然数）の長さの周期を有する。それらの複数の周期的光フィルタの透過特性を合成することによって、光増幅器の利得特性と逆の特性を形成することができる。従って、この利得等化器によって、光増幅器の利得特性を等化でき、これにより、広帯域な信号伝送帯域を実現することができる。
【００６５】
特に、周期的光フィルタが図３に示されるようなファブリペローエタロンフィルタで構成された本発明の一態様では、所望の波長周期の透過特性が実現可能である。また、複数の周期的光フィルタが縦列状に配置された本発明の一態様では、簡易な構成によって、複数の利得ピークを有する光増幅器の利得特性を、広帯域に等化することができる。
【００６６】
複数の利得等化器が、伝送路に複数の中継器を通過した後に分散して縦列状に配置された本発明の一態様では、１つの利得等化器が複数の光増幅器による利得偏差を等化する。波長多重光信号が複数の波長多重光信号に分波され、それぞれが周期的光フィルタを通過した後再び結合される本発明の一態様では、複数の周期的光フィルタを並列に接続することによっても、複数の周期的光フィルタの透過特性を合成することができる。従って、このように構成された利得等化器においても、複数の利得ピークを有する光増幅器の利得特性を、広帯域に等化することができる。
【００６７】
光増幅器の利得特性の利得ピークのうち少なくとも１つが遮断光フィルタによって遮断される本発明の一態様で、特定の帯域のＡＳＥ（自然的に発生する雑音レベル）光が大きくなるシステムに対し有効であり、光ＳＮＲの劣化を抑圧できる。
【００６８】
端局からのコマンドに基づいて周期的光フィルタの透過特性の周期、位相及び阻止量が調整される本発明の一態様では、経年変化によって光増幅器の利得特性が変化した場合や、光増幅器が故障した場合等に、利得等化器の透過特性を適切に調節できる。
【００６９】
また、本発明の一態様によれば、出力における波長多重光信号の各チャネルの光信号対雑音比が実質的に等しくなるように調整できる。
【図面の簡単な説明】
【図１】本発明に係わる原理に基づく利得等化器の構成例。
【図２】本発明に係わる利得等化器の原理を説明するための図。
【図３】ファブリペローエタロンフィルタの基本構造。
【図４】Ａｌ濃度とＥＤＦＡの増幅特性との関係。
【図５】Ａｌ低濃度ＥＤＦＡの増幅特性（波長に対する利得特性）。
【図６】Ａｌ高濃度ＥＤＦＡの増幅特性（波長に対する利得特性）。
【図７】２０段のＡｌ高濃度ＥＤＦＡの波長多重光信号の伝送特性（計算値）。
【図８】波長周期が３２ｎｍと１６ｎｍのファブリペローエタロンフィルタを直列に接続した場合の利得等化器（ＧＥＱ）の透過特性及び等化結果（Ｔｏｔａｌ  ｇａｉｎ）。
【図９】波長周期が５６ｎｍ、２８ｎｍ、及び１４ｎｍのファブリペローエタロンフィルタを直列に接続した場合の利得等化器（ＧＥＱ）の透過特性及び等化結果（Ｔｏｔａｌ  ｇａｉｎ）。
【図１０】Ａｌ高濃度ＥＤＦＡの増幅特性を等化するための本発明に係わる利得等化器の第１の構成例を示す図。
【図１１】Ａｌ高濃度ＥＤＦＡの増幅特性を等化するための本発明に係わる利得等化器の第２の構成例を示す図。
【図１２】Ａｌ高濃度ＥＤＦＡの増幅特性を等化するための本発明に係わる利得等化器の第３の構成例を示す図。
【図１３】本発明に係わる利得等化器が配置された光伝送システムの構成例。
【図１４】本発明に係わる利得等化器が配置された光伝送システムの構成例。
【図１５】本発明に係わる利得等化器が配置された光伝送システムの構成例。
【図１６】従来のＥＤＦＡを用いた中継器を複数中継した場合の、光スペクトル波形。（Ａ）は、中継器を１０段中継した場合、（Ｂ）は、中継器を６０段中継した場合。
【符号の説明】
１０  Ａｌ高濃度ＥＤＦＡ
１２  励起用ＬＤ
１４  光検出器
１６  励起ＬＤ制御コントローラ
１８  コマンド受信用光検出器
２０  利得等化器
２０−１、２０−２、２０−３  光フィルタ
２０♯１、２０♯２、２０♯３  利得等化器
３０−１、３０−２、３０−３  位相補償器
４０  ノッチフィルタ
５０−１〜５０−ｎ  光増幅器
６０♯１、６０♯２、６０♯３  利得等化器
【図１】
0003556379.tif 000004
【図２】
0003556379.tif 000005
【図３】
0003556379.tif 000006
【図４】
0003556379.tif 000007
【図５】
0003556379.tif 000008
【図６】
0003556379.tif 000009
【図７】
0003556379.tif 000010
【図８】
0003556379.tif 000011
【図９】
0003556379.tif 000012
【図１０】
0003556379.tif 000013
【図１１】
0003556379.tif 000014
【図１２】
0003556379.tif 000015
【図１３】
0003556379.tif 000016
【図１４】
0003556379.tif 000017
【図１５】
0003556379.tif 000018
【図１６】
0003556379.tif 000019